(57)【特許請求の範囲】
【請求項１】
注射器に使用した注射針が付いたままの状態で挿入する開口を有し、前記挿入口の下方に注射針の脱落口を備える注射針を取り外す機構を収容するケーシングと、前記取り外し機構を前記ケーシングの内部の上部に設けた第一の一対の長手方向に伸張し中央部に注射針の一部を保持する開口を有する細長い板体と、前記第一の板体の相互に隣接する内側縁を下方に向けて開放することができるように前記ケーシングの両側壁に枢着したことと、前記第一の板体の下部に設けた第二の一対の長手方向に伸張し中央部に注射針を通す開口を具備する細長い板体と、前記第二の板体の相互に隣接する内側縁を相互に下方に向けて開放することができるように前記ケーシングの両側壁に枢着したことと、前記第二の板体に前記注射針と係合するコの字状の部材を固定したことと、前記第一及び第二の板体をそれぞれバネによって常時閉塞状態を維持することができるようにしたことと、前記ケーシングに前記第一及び第二の板体を開放するためのハンドルを取り付けたことと、前記ハンドルを押し下げることによって前記上部の第一の板体と前記下部の第二の板体とを作動するようにして成る注射針リムーバー。
【請求項２】
前記ケーシングの注射器挿入口に挿入される注射器をガイドする周壁を設けた請求項１に記載の注射針リムーバー。
【請求項３】
前記ケーシングを中空の容器に固定するようにした請求項１に記載の注射針リムーバー。
【発明の詳細な説明】
【０００１】
【発明の属する技術分野】
この発明は注射針リムーバー、より詳しく述べると、患者に注射をした後に、その注射器から針を自動的に除去する装置に関する。
【０００２】
【従来の技術】
疾病の診断、治療、予防、あるいは採血のために、消毒滅菌された注射針と注射器とを用いて薬剤を注入し、または血管から採血する。
【０００３】
注射器には一般にプラスチック製のディスポーザブル式のものと、ガラス製の注射筒を使用するものとがあり、また使用する注射薬によっては、注射筒に注射針をネジ結合するものもある。
【０００４】
ディスポーザブル式の注射器では、１回使用したならば注射器を針と共に、あるいは注射器から針を取り外して、両者を廃棄する。ガラス製の注射器は、使用後に針を除去して、針のみを破棄する。この針の廃棄にあたって、注射針をそのまま破棄する場合と、注射針に保護用の細長いプロテクターを取り付けて捨てる場合があり、またネジ結合した注射針は針を回動して取り去る必要がある。
【０００５】
これらの注射針の除去操作は、術者である医師あるいは看護婦が行うが、その使用した注射針で誤って自分の指等に針を刺して傷つける事故も少なくなく、それが原因となって、各種の感染症を招く危険が少なくない。
【０００６】
これらの問題点を考慮して、従来、注射器から注射針を取り外す装置として、この発明の出願人は、先に特開平８−３８５６０号及び特開平８−２４３１３２号などの注射針リムーバーを提案している。
【０００７】
しかしながら、これら先行技術の注射針リムーバーは、以上に述べた３種類の注射器のすべてに適用することができるものでなく、プロテクターを取り付けたり、あるいはネジ結合された針を注射筒から取り外すこと等は考慮されていなかった。
【０００８】
【発明が解決しようとする課題】
以上に述べたような問題点を考慮して、この発明の主目的は、注射器の種類あるいは形式にこだわることなく、すべての注射器において、注射針に全く手を触れることなく、注射器から使用した注射針を取り除くことのできる注射針リムーバーを提供することにある。
【０００９】
すなわち、この発明の目的とするところは、必要に応じて、使用後の注射針に手を触れることなく、針にプロテクターを装着し、これを針と共に注射器から取り外すことのできる注射針リムーバーを提供することにある。
【００１０】
この発明の他の目的としては、注射器にネジ結合した注射針を使用後に手を触れることなく、プロテクターを装着し、あるいは装着することなく、注射器から取り外すことのできる注射針リムーバーを提供することにある。
【００１１】
【発明の実施の態様】
この発明の好ましい実施態様を添付図面について詳細に説明する。図１及び図２に示すように、この発明の注射針リムバー１０は、図３に示すような注射器Ｓから注射針Ｎを取り外すための機構を収容するリムーバー・ケーシング１２と、このケーシング１２を適当な公知の手段で着脱可能に取付け、注射器Ｓから離脱して、脱落口１３より落下する注射針Ｎを収容する容器１４とから構成してある。
【００１２】
リムーバー・ケーシング１２の上面には、使用した注射器Ｓを注射針Ｎが付いたままの状態で垂直方向に挿入する開口１６を有し、注射器Ｎの外筒Ｃをガイドし支持する環状の周壁１８と、注射器Ｓから注射針Ｎを取り外すために手で押し下げるハンドル２０とを具備し、環状の周壁１８とハンドル２０とは容器１４の表面から上方に突出している。
【００１３】
次に、注射器Ｓから注射針Ｎを取り外すための機構について説明する。図２に示すように、リムーバー・ケーシング１２の内部には、その上部に１対の長手方向に伸張する細長い板体２２，２３が長手方向に伸張し、板体２２，２３の隣接する内側縁が２４，２５が下方に向けて開放することができるようにケーシング１２の側壁に軸２６で枢着してあり、板体２２，２３の下面を横断するようにバネ２８が取付けてあって、常時は板体２２，２３が閉塞した状態を保つようにしてある。
【００１４】
リムーバー・ケーシング１２の注射器Ｓを挿入する開口１６の延長上において、１対の板体２２，２３には注射器Ｓに取付けられた注射針Ｎの根本の筒先Ｔを両側から挟む挿入口２９が形成してある。この挿入口２９には、図４に示すように、開口の周縁に放射方向に僅かに伸張する複数の切込み溝を設けて、注射針Ｎの筒先Ｔを的確に支持するようにすることが望ましい。
【００１５】
さらに、リムーバー・ケーシング１２の内部には、その下部、すなわち第一の板体２２、２３の下方に、第二の長手方向に伸張する細長い板体３０，３１が下方に向けて開放することができるようにケーシング１２の側壁に軸３２で枢着してある。この第二の板体３０，３１には、注射器Ｓから注射針Ｎを除去する手段として、直立部３４を有するコの字状部材３５が板体３０，３１と共に回動することができるように固定してある。
【００１６】
第二の板体３０，３１の下面のそれぞれの外側端から、板体３０，３１を横断するようにバネ３８が取付けてあって、常時は第二の板体３０，３１を、図２に示すように、閉塞した状態を保つようにしてある。
【００１７】
ハンドル２０は、図５に示すように、これを手で押し下げると、上部の一対の板体２２，２３と下部の一対の板体３０，３１とを、それぞれ閉塞した状態から開放する。すなわち、ハンドル２０の頭部４０から垂直方向に伸張する軸部４２の中間には、上部の第一の板体２２，２３と接触して、これを開放するために先細のクサビ状にしたカム部４４に形成してあり、末端は下部の第二の板体３０，３１と接触して、これを開放するために太端部４６としてある。
【００１８】
【発明の作用】
この発明の注射針リムーバー１０は、以上に詳述したように構成してあるので、使用した注射器Ｓに注射針Ｎを取付けたまま、針Ｎに手を触れることなく、針先を下方に向けて注射器挿入用の開口１６に挿入し、チップ部の上端Ｔが第一の板体２２，２３に設けられている挿入口２９に支持されて針Ｎがそれより下方に伸張する。
【００１９】
そこで、ハンドル２０を押し下げると、第一の板体２２，２３が開放して、挿入口２９に支持されていた針Ｎは自由な状態になり、同時に下方の第二の板体３０，３１が開放する。第二の板体３０，３１が開くと、板体３０，３１に固定されているコの字状部材３５の直立部３４の上端部が接近するように傾斜して、注射針Ｎのチップ部の端部Ｔを両側から抱え込んで、下方に引っ張るので、注射器Ｓから針Ｎが外れて、リムーバー・ケーシング１２の脱落口１３より容器１４内に落下する。従って、容器１４内に適当量の注射針Ｎが集まった時点でまとめて破棄することができる。
【００２０】
また、注射針Ｎを破棄する場合に、必ずプロテクターＰを取付けなければならない場合には、最初に、注射器挿入用の開口１６にプロテクターＰを挿入し、次いで注射器Ｓを針Ｎ付きのまま、前述したと同様に注射器挿入用の開口１６に挿入して、ハンドル２０を押下げれば、針ＮはプロテクターＰに挿入されたままの状態で容器１４内に落下する。
【００２１】
注射薬の種類等により、注射器Ｓの筒先にネジが設けてあって、注射針Ｎの基部Ｈをネジ込む形式のものがある。この形式の注射器Ｓから針Ｎを除去する場合には、注射針Ｎがネジ込まれたままの注射器Ｓを注射器挿入口１６に挿入し、注射器Ｓを反時計回りに僅か開動すれば、針Ｎが注射器から外れる。それから後の操作はネジなしの場合と全く同一である。また、このネジ付きの注射針Ｎにプロテクターを取り付ける場合も、前述から自明である。
【００２２】
【発明の効果】
この発明の注射針リムーバーは、以上に詳しく説明した通りであって、使用した注射器から針を除去するのに、医師や看護婦等が注射針の部分に一切手を触れることがないので、注射針によって傷つくことが無く、各種の感染症にかかる心配が全くない。
【図面の簡単な説明】
【図１】この発明の注射針リムーバーの正面図である。
【図２】図１の線ＩＩ−ＩＩに沿い矢印方向に見た断面図である。
【図３】注射器と注射針及びプロテクターを示す正面図である。
【図４】図２の線ＩＶ−ＩＶに沿い矢印方向に見た平面図である。
【図５】図２の線Ｖ−Ｖに沿い矢印方向に見てハンドルの構成を示す断面図である。
【符号の説明】
１０  注射針リムーバー
１２  リムーバー・ケーシング
１３  脱落口
１４  容器
１６  注射器挿入口
１８  周壁
２０  ハンドル
２２・２３  上部の第一の板体
２４・２５  板体の内側縁
２６  軸
２８  バネ
２９  注射針の根本の筒先の挿入口
３０・３１  下部の第二の板体
３２  軸
３４  コの字状部材の直立部
３５  コの字状部材
３８  バネ
４０  ハンドルの頭部
４２  ハンドルの軸部
４４  カム部
４６  太端部
Ｃ    注射器の外筒
Ｎ    注射針
Ｐ    プロテクター
Ｓ    注射器
Ｔ    筒先
【図１】
0003704603.tif 000002
【図２】
0003704603.tif 000003
【図３】
0003704603.tif 000004
【図４】
0003704603.tif 000005
【図５】
0003704603.tif 000006